(57)【要約】【課題】弾球遊技機の変動入賞装置において、大当たり状態で、遊技者が継続入賞口への入賞を容易に視認でき、さらに、開閉部材上で継続入賞口に入る入賞球を視認できるようにする。【解決手段】弾球遊技機の変動入賞装置１０において、継続入賞口４２をアタッカー室４１の奥壁上部中央に設け、継続入賞口の下部より前方に突出すると共に前端部が開閉部材１２に接近するようにのびた継続入賞口案内部材を形成して、開放状態の開閉部材上からアタッカー室へ流入する遊技球を継続入賞口案内部材に載せて、継続入賞口へ案内して入賞させるように構成し、一方、開閉部材が開放状態である場合に該開閉部材上の所定位置に乗った遊技球を継続入賞口案内部材に誘導するための誘導部６２を開閉部材に設け、継続入賞口案内部材は、一対の棒材を平行に設けたものである。【選択図】図５
2007038018.tif 000002
【特許請求の範囲】
【請求項１】
開閉部材により開閉可能なアタッカー室の奥壁に開口する継続入賞口を有する変動入賞装置を備え、特別遊技態様の発生に基づいて前記開閉部材を前方に傾かせて開放動作させ、その開放状態の前記開閉部材上から前記アタッカー室へ流入する遊技球が前記継続入賞口へ入ったことの検出により前記特別遊技態様を継続する権利を付与する弾球遊技機において、
前記変動入賞装置は、
前記継続入賞口を前記アタッカー室の奥壁上部中央に設け、
前記継続入賞口の下部より前方に突出すると共に前端部が前記開閉部材に接近するようにのびた継続入賞口案内部材を形成して、開放状態の前記開閉部材上から前記アタッカー室へ流入する遊技球を前記継続入賞口案内部材に載せて、前記継続入賞口へ案内して入賞させるように構成し、
一方、前記開閉部材が開放状態である場合に該開閉部材上の所定位置に乗った遊技球を前記継続入賞口案内部材に誘導するための誘導部を開閉部材に設けるとともに、
前記継続入賞口が、下方に開口する入賞球導出口への経路に継続入賞球検出手段を有する第１流路と、前記アタッカー室の奥側下端部に開口して入賞球を再びアタッカー室に流入させる入賞球流入口を有する第２流路と、に通じ、
前記継続入賞口へ流入した前記入賞球を前記第１流路側と前記第２流路側との何れか一方に流すように切替動作する流路切替手段を設け、
前記継続入賞口は、前記第２流路側に向かって下がる傾斜面による底面を有しており、
前記流路切替手段は、
前記継続入賞口の底面の上方において前進後退動作可能で、前記第１流路側に向かって下がる傾斜面による上面を有する流路切替部材を備え、この上面の傾斜面により前進時に前記第１流路側に入賞球を流して、後退時には前記継続入賞口の底面により前記第２流路側に前記入賞球を流し、
前記継続入賞口案内部材は、一対の棒材を平行に設けたものであることを特徴とする弾球遊技機の変動入賞装置。
【発明の詳細な説明】
【技術分野】
【０００１】
この発明は、パチンコ遊技機に代表される弾球遊技機における特別変動入賞装置等の変動入賞装置に関する。
【背景技術】
【０００２】
いわゆるセブン機タイプと呼ばれる１種や羽根物タイプと呼ばれる２種や権利物タイプと呼ばれる３種のパチンコ遊技機において、その遊技盤には、役物装置等の各種構成部材が取り付けられており、その代表的なものとして、ソレノイドやモータ等の電気的可動装置の他、ランプやＬＥＤ（発光ダイオード）等の発光源やセンサー等を備えた特別変動入賞装置等の変動入賞装置がある（例えば、特許文献１参照）。そして、特別変動入賞装置は、いわゆるアタッカーと呼ばれる横長窓状の大入賞口を開閉するアタッカー扉を備え、特別遊技態様、即ち、大当たり状態の発生により扉が開いた状態のアタッカー内部には、入賞球を裏側へ導出してその球数をカウントする入賞球導出口の他に、いわゆるＶ入賞口と呼ばれる特別入賞口が設けられており、そのＶ入賞口への遊技球の入賞によって大当たり状態を継続させるようになっている。
なお、大当たり遊技態様としては、アタッカーを間欠的に所定回数、例えば、１種機では、最大１６回の開放があって、１回の開放で最大１０個まで入賞可能であり、一定時間経った場合は閉じるようになっている。また、２種機の場合は、最大１５ラウンドがあって、１ラウンドで開放が１８回までであり、Ｖ入賞口への入賞で継続するようになっている。そして、３種機の場合は、開放が最大１６回で、１回の開放で最大１０個あるいは一定時間で閉じるようになっており、継続条件はないが、権利発生の始動条件としては、特定入賞口あるいは特定入賞領域への入賞となっている。
【特許文献１】特開平７−１１６３０９号公報
【発明の開示】
【発明が解決しようとする課題】
【０００３】
しかし、アタッカーはその奥方にＶ入賞口があり、そのＶ入賞口への入賞率は１／３未満に設定されているが、アタッカーに入った遊技球が即座にＶ入賞口に入ってしまうことが起こりやすく、従来は、遊技者にとってＶ入賞口に球が入ったかどうか視認しにくいものとなっていた。また、アタッカーを下方に窪んだ凹室形状として、その下部奥方にＶ入賞口があるものもあり、このような場合、Ｖ入賞口に球が入ったかどうかの視認はさらに難しいものとなっていた。
そして、アタッカー扉が手前側に傾いた状態でその上に載った球がアタッカー内に入るため、従来は、手前側に傾いたアタッカー扉のどの位置に載った球がＶ入賞口に入るかが特定できないものとなっていた。
さらに、従来は、アタッカー内に入った球が入賞球導出口から出て直ぐに見えなくなってしまうので、遊技者にとってゲームとしての興趣に欠けるものとなっていた。
なお、前述したようにアタッカー内に入る球数を制限している場合、従来は、アタッカーにその制限数丁度までしか球が仲々入らないものとなっていたため、遊技者にとっては不利なものとなっていた。
【０００４】
そこで、本発明の目的は、パチンコ遊技機等の弾球遊技機において、大当たり状態で開放動作する開閉部材から継続入賞口に入賞球を案内する部材を設けて、遊技者が継続入賞口への入賞を容易に視認できるようにした変動入賞装置を提供することにある。そして、本発明は、開放状態の開閉部材上に遊技球を継続入賞口側へ誘導する部分を設けて、予め開閉部材上で継続入賞口に入る入賞球を視認できるようにしたり、さらに、入賞球の導出口までの経路を長くして、遊技者が入賞球を見ている時間を長くすることで興趣を高めたり、球数制限のものでも入賞の可能性を高くすることで遊技者にとって有利となるようにすることも目的としている。
【課題を解決するための手段】
【０００５】
上記課題を解決するため、請求項１の発明は、開閉部材により開閉可能なアタッカー室の奥壁に開口する継続入賞口を有する変動入賞装置を備え、特別遊技態様の発生に基づいて前記開閉部材を前方に傾かせて開放動作させ、その開放状態の前記開閉部材上から前記アタッカー室へ流入する遊技球が前記継続入賞口へ入ったことの検出により前記特別遊技態様を継続する権利を付与する弾球遊技機において、前記変動入賞装置は、前記継続入賞口を前記アタッカー室の奥壁上部中央に設け、前記継続入賞口の下部より前方に突出すると共に前端部が前記開閉部材に接近するようにのびた継続入賞口案内部材を形成して、開放状態の前記開閉部材上から前記アタッカー室へ流入する遊技球を前記継続入賞口案内部材に載せて、前記継続入賞口へ案内して入賞させるように構成し、一方、前記開閉部材が開放状態である場合に該開閉部材上の所定位置に乗った遊技球を前記継続入賞口案内部材に誘導するための誘導部を開閉部材に設けるとともに、前記継続入賞口が、下方に開口する入賞球導出口への経路に継続入賞球検出手段を有する第１流路と、前記アタッカー室の奥側下端部に開口して入賞球を再びアタッカー室に流入させる入賞球流入口を有する第２流路と、に通じ、前記継続入賞口へ流入した前記入賞球を前記第１流路側と前記第２流路側との何れか一方に流すように切替動作する流路切替手段を設け、前記継続入賞口は、前記第２流路側に向かって下がる傾斜面による底面を有しており、前記流路切替手段は、前記継続入賞口の底面の上方において前進後退動作可能で、前記第１流路側に向かって下がる傾斜面による上面を有する流路切替部材を備え、この上面の傾斜面により前進時に前記第１流路側に入賞球を流して、後退時には前記継続入賞口の底面により前記第２流路側に前記入賞球を流し、前記継続入賞口案内部材は、一対の棒材を平行に設けられてなることを特徴としている。
【０００６】
ここで、弾球遊技機としては、パチンコ遊技機が代表的であるが、他の弾球遊技機であっても良い。
また、変動入賞装置とは、特別変動入賞装置のことであり、アタッカー（大入賞口）である横長形状のアタッカー室に、アタッカー扉による開閉部材を設けたものであり、このようなアタッカーの奥部に開口するＶ入賞口としての継続入賞口がある。
なお、特別遊技態様としては、大当たり状態のことで、前述したように、アタッカーを間欠的に所定回数、例えば、１種機では、最大１６回の開放があって、１回の開放で最大１０個まで入賞可能であり、一定時間経った場合は閉じるような態様のものである。
また、特別遊技態様を継続する権利としては、アタッカー室へ流入する遊技球がＶ入賞口（継続入賞口）へ入ったのを条件として、次のアタッカーの開放動作が確保されることである。
そして、継続入賞口案内部材としては、遊技球が転がる樋形状のものが代表的であるが、左右一対の棒を平行に設けたもの等、何でも良い。
また、例えば、開閉部材上の所定位置としては、代表的なものとして中央位置が挙げられるが、他の位置でも良い。
さらに、誘導部としては、平行する左右一対のリブや左右方向に並ぶ多数のリブが挙げられるが、凹溝によるもの等、何でも良い。
また、例えば、第１流路としては、一側方に向かって伸びて、下方に向かって開口する入賞球導出口に継続入賞球検出手段を設けたものが挙げられるが、流路形状は任意である。
さらに、第２流路としては、他側方に向かって伸びて、アタッカー室の内部下方に入賞球流入口が開口するものが挙げられるが、流路形状は任意である。
また、例えば、流路切替手段としては、駆動源にソレノイドを用いたものが挙げられるが、電動モータやシリンダユニット等を駆動源としたものであっても良い。
さらに、例えば、継続入賞口底面の傾斜面としては、一側方に伸びた第１流路側に向かって下がる形状が挙げられるが、要は第１流路が伸びる側に向かって下がる形状であれば良い。
また、流路切替部材上面の傾斜面としては、他側方に伸びた第２流路側に向かって下がる形状が挙げられるが、要は第２流路が伸びる側に向かって下がる形状であれば良い。
【０００７】
以上のように、請求項１に記載の発明によれば、変動入賞装置は、継続入賞口をアタッカー室の奥壁上部中央に設け、前記継続入賞口の下部より前方に突出すると共に前端部が前記アタッカー室を開閉する開閉部材に接近するようにのびた継続入賞口案内部材を形成して、開放状態の前記開閉部材上から前記アタッカー室へ流入する遊技球を前記継続入賞口案内部材に載せて、前記継続入賞口へ案内して入賞させるようにしたので、特別遊技態様による開放状態の開閉部材上からアタッカー室へ流入する遊技球の少なくとも１球が、継続入賞口の下部から前方に突出して設けた継続入賞口案内部材に載って案内されて、継続入賞口に入賞する。従って、遊技者は、継続入賞口への入賞を容易に視認できる。また、特別遊技態様による開放状態の開閉部材上には、所定位置に載った遊技球を、継続入賞口案内部材に誘導するための誘導部を設けた変動入賞装置なので、特別遊技態様による開放状態の開閉部材上に設けた誘導部に載った遊技球が、継続入賞口案内部材を通って継続入賞口に入賞するものとなり、即ち、開閉部材上の誘導部に遊技球が載った時点で、遊技者は、その後に継続入賞口へ入賞することが予め視認できる。従って、遊技者は、開閉部材上のどの位置に載った遊技球が継続入賞口に入るかが容易に判る。
【０００８】
また、継続入賞口が、下方に開口する入賞球導出口への経路に継続入賞球検出手段を有する第１流路と、アタッカー室の奥側下端部に開口して入賞球を再びアタッカー室に流入させる入賞球流入口を有する第２流路と、に通じている変動入賞装置なので、継続入賞口から第１流路に入賞球が流れると、その入賞球が継続入賞球検出手段により検出されて、特別遊技態様の継続権利が発生し、また、継続入賞口から第２流路に入賞球が流れた場合は、入賞球流入口からアタッカー室内に入賞球が再び戻ってくる。従って、継続入賞口から第２流路に入賞球が流れた場合においては、アタッカー室の奥側下端部に一旦入ってから、その内部に開口する入賞球導出口までの入賞球の経路が長くなるため、遊技者が入賞球を見ている時間が長くなることにより興趣が高められる。
さらに、入賞球が第２流路を通ってアタッカー室に再び戻るまでの時間を要することで、球数制限のものでも、例えば、その制限球数目の球が第２流路を通ってアタッカー室に再び戻るまでの時間に継続入賞口に稀に遊技数が入ることがあるため、この面からも遊技の興趣が高まるものとなる。
【０００９】
また、継続入賞口へ流入した入賞球を第１流路側と第２流路側との何れか一方に流すように切替動作する流路切替手段を設けた変動入賞装置なので、例えば、流路切替手段を予め第１流路側に入賞球が流れるように切り替えた状態にしておいて、継続入賞口から第１流路に入賞球が通って継続入賞球検出手段の検出により特別遊技態様の継続権利が発生した後は、流路切替手段を第２流路側に入賞球が流れるように切り替えて、継続入賞口に入った入賞球が第２流路を通って入賞球流入口からアタッカー室内に再び戻ってくるようにできる。
【００１０】
さらに、流路切替手段は、継続入賞口の底面の上方において前進後退動作可能で、第１流路側に向かって下がる傾斜面による上面を有する流路切替部材を備え、この上面の傾斜面により前進時に前記第１流路側に入賞球を流して、後退時には前記継続入賞口の底面により前記第２流路側に前記入賞球を流すので、継続入賞口の底面の上方に流路切替部材を予め前進した状態にしておけば、継続入賞口に入った入賞球が、流路切替部材上面の第１流路側に向かって下がる傾斜面によって、継続権利獲得用の第１流路を流れるようになる。また、流路切替部材を継続入賞口から後退した状態にすると、継続入賞口に入った入賞球が、その継続入賞口底面の第２流路側に向かって下がる傾斜面によって、第２流路を流れるようになる。
【発明の効果】
【００１１】
本発明によれば、遊技者にとって、手前側に突出した継続入賞口案内部材を見るだけで、継続入賞口への入賞を容易に予測することができる。また、開放状態の開閉部材上の誘導部に球が乗ったのを見た時点で、その後に続いて継続入賞口へ確実に入賞することを予め予測できるものとなる。また、開放状態の開閉部材上のどの位置に乗った遊技球が継続入賞口に入るかを遊技者が容易に判別できる。
また、継続入賞口から第２流路に入賞球が流れた場合においては、アタッカー室の奥側下端部に一旦入ってから、その内部に開口する入賞球導出口までの入賞球の経路が長くなるため、遊技者が入賞球を見ている時間が長くなることにより興趣が高められる。入賞球数に制限のあるものでも第２流路を通って入賞球流入口からアタッカー室の内部へ流入する間に変動入賞装置内に更に遊技球が入ることがあるため遊技の興趣を高めている。
【発明を実施するための最良の形態】
【００１２】
以下に、本発明に係る弾球遊技機の変動入賞装置の実施の形態例を図１から図６に基づいて説明する。
先ず、図１は本発明を適用した弾球遊技機の一例としてのパチンコ遊技機の遊技盤表面の遊技領域の概略構成を示す正面図で、図２はそのパチンコ遊技機の遊技盤裏面の概略構成を示す背面図である。
そして、図３は図１のパチンコ遊技機の変動入賞装置を拡大して示した斜視図で、図４はその変動入賞装置の平面図、図５は同じく変動入賞装置の開閉部材（アタッカー扉）の開放状態を示した拡大斜視図、図６は同じく変動入賞装置の球流路等を示した底面図である。
【００１３】
始めに、図１及び図２において、１は遊技盤、２は遊技領域、３はアウト穴、４は特別図柄表示部（主可変表示装置：電気的遊技装置）、５は風車、６は一般入賞口、７は特別図柄始動口、８は普通図柄始動ゲート、９は一般入賞口、１０は変動入賞装置ユニット、１１はアタッカー（大入賞口：入賞窓部）、１２はアタッカー扉（大入賞口開閉部材）、１３は特別図柄始動口（補助入賞口）、１４は扉（補助入賞口開閉部材）、１５は装飾部材、１６は誘導部、１７は普通図柄表示部（補助可変表示装置）、１８は普通図柄始動記憶表示部、１９は一般入賞口、２０は下部入賞球案内部材、２１は上部入賞球案内部材、２２は中継基板、２３はランプ取付基板、２４はランプである。
即ち、このパチンコ遊技機は、図１に示すように、遊技盤１の遊技領域２に、最下部のアウト穴３と、電気的遊技装置の代表例として上部寄り中央部の主可変表示装置である液晶表示画面等による特別図柄表示部４と、その上部左右の風車５、５と、その下方の一般入賞口６、６と、特別図柄表示部４の下部中央の特別図柄始動口７と、その左右の普通図柄始動ゲート８、８と、さらにその側方に離れた一般入賞口９、９と、下部の変動入賞装置ユニット１０等を備えている。
【００１４】
この変動入賞装置ユニット１０は、特別変動入賞装置及び補助変動入賞装置等を一体的にユニット化したもので、中央部に特別変動入賞装置の大入賞口（横長形状の入賞窓部）であるアタッカー１１及びその大入賞口開閉部材であるアタッカー扉１２を有するとともに、その下部中央にアタッカー（大入賞口）１１に次ぐ補助変動入賞装置の補助入賞口としての特別図柄始動口１３及びその補助入賞口開閉部材である扉１４を有している。
なお、特別図柄始動口１３の下部には、装飾部材１５が設けられており、この装飾部材１５には、特別図柄始動口１３に遊技球を誘導するための傾斜した誘導部１６、１６が形成されている。
そして、アタッカー１１の一側方、図示では左側方に補助可変表示装置である普通図柄表示部１７が設けられている。この普通図柄表示部１７は、ＬＥＤの７セグメントによるものである。
さらに、アタッカー１１の両側方には、ランプによる左右２個ずつの普通図柄始動記憶表示部１８、１８がそれぞれ設けられていて、そのうち一側方においては、普通図柄表示部１７の左右に普通図柄始動記憶表示部１８、１８が位置している。
なお、変動入賞装置ユニット１０の左右にも、一般入賞口１９、１９が設けられている。
【００１５】
また、遊技盤１の裏面側には、図２に示すように、前記変動入賞装置ユニット１０の背面側突出部を覆う部分を有する下部入賞球案内部材２０と、その上方に連続して前記主可変表示装置（特別図柄表示部）４の背面側突出部を露出させる上部入賞球案内部材２１とが取り付けられている。
なお、主可変表示装置４の背面部には、中継基板２２が取り付けられている。
また、上部入賞球案内部材２１の上部左右には、ランプ取付基板２３、２３が取り付けられており、これら左右のランプ取付基板２３、２３には、上下２個ずつのランプ２４、２４が設けられている。この上下２個のランプ２４、２４は、前記風車５の背面側に位置する装飾用光源である。
【００１６】
次に、変動入賞装置ユニット１０の構成を図３から図６に基づいて詳細に説明する。
即ち、変動入賞装置ユニット１０は、図３に示すように、アタッカー１１及びそのアタッカー扉１２、特別図柄始動口１３及びその扉１４と装飾部材１５、普通図柄表示部１７、普通図柄始動記憶表示部１８、１８、１８、１８、一般入賞口１９、１９を、前面パネル３０に設けたものである。
なお、前面パネル３０には、アタッカー１１の両側方に着色レンズ３１、３１が組み付けられており、一方の着色レンズ３１に普通図柄表示部１７及びその両側の普通図柄始動記憶表示部１８、１８が表示されて、他方の着色レンズ３１に２個の普通図柄始動記憶表示部１８、１８のみが表示されるようになっている。
また、特別図柄始動口１３の装飾部材１５の中央部は、図４及び図５に示すように、通過穴３２となっている。
【００１７】
そして、アタッカー扉１２は、前面パネル３０の背面側に設けられるソレノイド３３及びそのプランジャ３４と図示しないリンク機構を介して開閉動作するもので、図５に示すように、下部を支点として前方に傾くように開放状態となる。
また、特別図柄始動口１３の扉１４も、前面パネル３０の背面側に設けられるソレノイド３５及びそのプランジャ３６と図示しないリンク機構を介して開閉動作するもので、前記通過穴３２を塞ぐように、下部を支点として前方に傾くように開放状態となる。
さらに、前面パネル３０の背面には、入賞球流路部材４０が取り付けられている。この入賞球流路部材４０は、アタッカー１１が開口するアタッカー室４１の奥壁上部中央に継続入賞口であるＶ入賞口４２を開口して、その背面側には、図６に示すように、左右に振り分けられた第１流路４３と第２流路４４を形成してなる。
【００１８】
第１流路４３は、Ｖ入賞口４２の側方から、下方に開口する入賞球導出口４５に向かって徐々に下がる傾斜面４６による底面を有していて、入賞球導出口４５に継続入賞球検出手段４７を取り付けている。
第２流路４４は、Ｖ入賞口４２の下方から、再び大入賞口４１の奥壁のＶ入賞口４２の側方に開口する入賞球流入口４８を有するとともに、この入賞球流入口４８に向かって徐々に下がる傾斜面４９による底面を有している。
そして、Ｖ入賞口４２のさらに背面側には、流路切替手段５０が配設されている。この流路切替手段５０は、前進してＶ入賞口４２の下方に位置する流路切替部材５１を有するもので、この流路切替部材５１は、第１流路４３の傾斜面４６と同様の傾斜面５２を上面に有している。
この流路切替部材５１は、入賞球流路部材４０の背面側に設けられるソレノイド５３及びそのプランジャ５４により前進後退動作するものである。
【００１９】
また、アタッカー室４１の奥壁下部端には、入賞球流出口５６が開口し、その背面側の流出路５７の下方に開口する入賞球導出口５８に入賞球検出手段５９が取り付けられている。
そして、アタッカー室４１の奥壁には、図５に示したように、Ｖ入賞口４２の下部から前方に突出する継続入賞口案内部材としての樋形状のＶ入賞口案内部材６１が形成されている。
このＶ入賞口案内部材６１は、前端部がアタッカー扉１２の下部に接近するように伸びており、図示のように開放状態のアタッカー扉１２上から遊技球をＶ入賞口４２へスムーズに案内するものである。
【００２０】
さらに、開放状態にあるアタッカー扉１２の背面中央部には、前記樋形状のＶ入賞口案内部材６１の前方でその延長上に位置する誘導部６２が形成されている。
この誘導部６２は、Ｖ入賞口案内部材６１の樋形状と対応するように、左右の高いリブ６３、６３の間に、３本の低いリブ６４、６４、６４を形成したもので、その左右の高いリブ６３、６３の間に落下した遊技球を３本の低いリブ６４、６４、６４に沿ってＶ入賞口案内部材６１に案内する。
なお、前記特別図柄始動口１３の背面側にも流路６５が設けられており、この流路６５の一側方に開口する入賞球導出口６６には、入賞球検出手段を兼ねた特別図柄始動検出手段６７が取り付けられている。
【００２１】
以上のように構成したパチンコ遊技機による遊技態様を以下に説明する。
先ず、遊技領域に弾き出された遊技球が、例えば、特別図柄始動口７に入賞すると、特別図柄表示部４において、複数桁で複数の識別情報、即ち、３桁の数字等による特別図柄の可変表示が開始される。また、遊技球が普通図柄始動ゲート８を通過すると、変動入賞装置ユニット１０の普通図柄表示部１７において、１桁の数字等による普通図柄の可変表示が開始される。
そして、特別図柄表示部４に表示される特別図柄の停止態様が、３桁とも揃い図柄になると、特別遊技態様、即ち、大当たり状態の発生となる。大当たり状態になると、変動入賞装置ユニット１０のアタッカー扉１２が所定時間だけ開放動作する。また、普通図柄表示部１７に表示される普通図柄の停止態様が、例えば、数字の場合に「７」の図柄になると、変動入賞装置ユニット１０の下部の扉１４が所定時間だけ開放動作する。
【００２２】
次に、大当たり状態について説明する。
大当たり状態では、図５に拡大して示したように、開放状態のアタッカー扉１２上からアタッカー１１へ流入する遊技球の少なくとも１球が、アタッカー室４１内に突出した樋形状のＶ入賞口案内部材６１に載って奥方に案内されるため、Ｖ入賞口４２に入賞する。
このため、遊技者にとって、アタッカー１１の奥方まで覗き込まなくても、手前側に突出した樋形状のＶ入賞口案内部材６１を見るだけで、Ｖ入賞口４２への入賞を容易に確認できるものとなる。
しかも、開放状態のアタッカー扉１２上の中央部に設けた左右の高いリブ６３、６３により樋状をなす誘導部６２に載った遊技球が、その奥側に連続するＶ入賞口案内部材６１を通ってＶ入賞口４２に入賞する。
このため、遊技者にとっては、開放状態のアタッカー扉１２の中央部上の誘導部６２に遊技球が載ったのを見た時点で、その後に続いてＶ入賞口４２へ確実に入賞することを予め予測できるものとなる。
また、開放状態のアタッカー扉１２上のどの位置に載った遊技球がＶ入賞口４２に入るかを、遊技者が容易に判別できるものでもある。
【００２３】
ところで、遊技球がＶ入賞口４２に最初に入賞した場合、この時点では、ソレノイド５３及びそのプランジャ５４を介して流路切替部材５１が、図５に示したように、Ｖ入賞口４２の背面側下方に前進しているため、入賞球は流路切替部材５１の上面の傾斜面５２により第１流路４３側に転がり、さらに、その第１流路４３の底面の傾斜面４６を転がって入賞球導出口４５から下方に導出される。
この時、その入賞球が入賞口導出口４５の継続入賞球検出手段４７により検出されて、次回のアタッカー扉１２の開閉動作が継続される権利が付与される。
また、同時に、ソレノイド５３及びそのプランジャ５４を介して流路切替部材５１が、図４に示されるように、Ｖ入賞口４２の奥方へ後退動作される。
従って、以降にＶ入賞口４２に入賞した入賞球は、その下方の傾斜面４９により第２流路４４側に転がって、入賞球流入口４８からアタッカー室４１に球が出てくる。
【００２４】
このように、Ｖ入賞口４２に２球目以降が入った場合には、第２流路４４を通って入賞球流入口４８からアタッカー室４１に球が出てくるまで、遊技者が入賞球を見ている時間が長くなるため、興趣を高められるものとなる。
また、アタッカー１１に入る球数を制限したものにおいて、例えば、その制限球数目の球が第２流路４４を通って入賞球流入口４８からアタッカー室４１に再び戻るまでの時間に、時には、アタッカー１１にさらに遊技球が入ることがあるため、遊技の興趣を高めている。
【００２５】
なお、以上の実施の形態例においては、弾球遊技機としてパチンコ遊技機としたが、本発明はこれに限定されるものではなく、他の弾球遊技機であっても良い。
また、実施の形態例では、アタッカーの奥方中央部にＶ入賞口を設けて、開放状態のアタッカー扉上の中央部に誘導部を設けたが、例えば、Ｖ入賞口をアタッカーの中央部から片側にオフセットさせて設けた場合には、誘導部を開放状態のアタッカー扉上の中央部から片側に同様にオフセットさせて設けるようにすれば良い。
さらに、変動入賞装置の本発明に係る以外の構成についても任意であり、その他、具体的な細部構造等についても適宜に変更可能であることは勿論である。
【図面の簡単な説明】
【００２６】
【図１】本発明を適用した弾球遊技機の一例としてのパチンコ遊技機の遊技盤表面の遊技領域の概略構成を示す正面図である。
【図２】図１のパチンコ遊技機の遊技盤裏面の概略構成を示す背面図である。
【図３】図１のパチンコ遊技機の変動入賞装置を拡大して示した斜視図である。
【図４】図３の変動入賞装置の平面図である。
【図５】図３の変動入賞装置の開閉部材（アタッカー扉）の開放状態を示した拡大斜視図である。
【図６】図３の変動入賞装置の球流路等を示した底面図である。
【符号の説明】
【００２７】
１  遊技盤
２  遊技領域
４  電気的遊技装置
１０  変動入賞装置ユニット
１１  入賞窓部
１２  開閉部材
４２  継続入賞口
４３  第１流路
４４  第２流路
４５  入賞球導出口
４６、４９  傾斜面
４８  入賞球流入口
５０  流路切替手段
５１  流路切替部材
５２  傾斜面
５６  入賞球流出口
５８  入賞球導出口
６１  継続入賞口案内部材
６２  誘導部
【図１】
2007038018.tif 000003
【図２】
2007038018.tif 000004
【図３】
2007038018.tif 000005
【図４】
2007038018.tif 000006
【図５】
2007038018.tif 000007
【図６】
2007038018.tif 000008